(57)【特許請求の範囲】
【請求項１】
座フレームを有して下面に支持脚体が設けられこの支持脚体によって所定の高さでほぼ水平に支持される座部体と、
幅方向に横パイプが架設されていて、上記座部体の一端にヒンジ機構によって回動可能かつ所定の角度で保持可能に設けられた背フレームを有する背部体と、
上記座部体と上記背部体を被覆した外装体と、
この外装体の上記背部体の背面を被覆した部分に開閉可能に形成された収納部と、
上記背フレームの上記収納部内に位置する部分に回動可能に設けられ上記背部体を起立させたときには倒伏状態で上記収納部に収容され上記背部体をほぼ水平に倒伏させたときに起立させられて上記収納部から上記背部体の背面側に突出してこの背部体をほぼ水平な状態で支持する補助脚体と
を具備したことを特徴とするソファー装置。
【請求項２】
上記補助脚体は、上記背フレームの上記収納部内に位置する部分に取付けられた取付け具と、この取付け具に一端が回動可能に連結された脚部材と、この脚部材を倒伏した状態と起立した状態とでそれぞれ回動不能に保持する保持機構とによって構成されていることを特徴とする請求項１記載のソファー装置。
【請求項３】
上記取付け具は、平行に離間対向する一対の支持片を有するＵ字状に形成されていて、
上記保持機構は、一端部が上記取付け具の一対の支持片に回動可能かつスライド可能に支持された支軸部に形成され、他端部が上記支軸部よりも長さが短く上記取付け具の一方の支持片に形成された回り止め孔にスライド可能に係合する係合軸部に形成されたほぼコ字状の軸状部材と、この軸状部材を上記係合軸部が上記回り止め孔に係合する方向に弾性的に付勢したばねとによって構成されていて、
上記支軸部には上記脚部材の一端が回動可能に支持され、この脚部材の一端部には脚部材が倒伏したときに上記係合軸部の上記回り止め孔を貫通した先端部が係合する第１の係合部と、上記脚部材が起立したときに上記係合軸部の先端部が係合する第２の係合部が形成されていることを特徴とする請求項２記載のソファー装置。
【請求項４】
第１のソファー装置と第２のソファー装置を有し、この第１のソファー装置と第２のソファー装置は、
座フレームを有して下面に支持脚体が設けられこの支持脚体によって所定の高さでほぼ水平に支持される座部体と、
幅方向に横パイプが架設されていて、上記座部体の一端にヒンジ機構によって回動可能かつ所定の角度で保持可能に設けられた背フレームを有する背部体と、
上記座部体と上記背部体を被覆した外装体と、
この外装体の上記背部体の背面を被覆した部分に開閉可能に形成された収納部と、
上記背フレームの上記収納部内に位置する部分に回動可能に設けられ上記背部体を起立させたときには倒伏状態で上記収納部に収容され上記背部体をほぼ水平に倒伏させたときに起立させられて上記収納部から上記背部体の背面側に突出してこの背部体をほぼ水平な状態で支持する補助脚体を具備し、
上記第１のソファー装置と第２のソファー装置の一方は背部体を起立させ、他方はソファー装置の背部体をほぼ水平に倒伏させるとともに、この背部体の端部を一方のソファー装置の座部体の端部に接触させてベッドとして使用可能であることを特徴とするソファー装置。
【請求項５】
上記第１のソファー装置と第２のソファー装置をベッドとして使用するときにベッド面となる一方のソファー装置の座部体と、他方のソファー装置の座部体及び倒伏された背部体の上面を覆うとともに、周辺部の内の長手方向一方を除く三方に上記ベッド面の側部に係合する袋部が形成されたカバーを有し、
上記カバーの一方には上記一方のソファー装置の起立した背部体の下端部に係合する係合部材が設けられていることを特徴とする請求項４記載のソファー装置。
【発明の詳細な説明】
【技術分野】
【０００１】
この発明はベッドとして利用することが可能な構造のソファー装置に関する。
【背景技術】
【０００２】
一般に、ソファー装置は座部体を有し、この座部体には背部体がヒンジ機構によって回動可能かつ所定の回動角度で保持可能に設けられている。上記背部体を所定の角度で起立させて使用すれば、利用者が背部体に寄り掛かることができ、上記背部体を座部体の上面と水平になるよう倒伏させれば、座部体と背部体とがなす面をベッド面として利用することが可能となる。
【０００３】
通常、ソファー及びベッドが洋間で使用される場合、上記座部体には脚体を設け、この座部体を床面よりも上方の高さで支持できるようにしている。その場合、背部体を倒伏させてベッドとして使用する場合、背部体に荷重が加わると、背部体が下方へ倒れる虞がある。そのため、背部体の背面に補助脚を回動可能に設け、ベッドとして使用するときには上記補助脚を起立させ、この補助脚によって倒伏した背部体を支持するということが行われている。背部体に補助脚を設ける先行技術は特許文献１に示されている。
【先行技術文献】
【特許文献】
【０００４】
【特許文献１】特開２００２−２８２０７７号公報
【発明の概要】
【発明が解決しようとする課題】
【０００５】
特許文献１に示された構成によると、背部体を水平になるよう倒伏させたとき、この背部体は起立方向に回動させた補助脚によって支持されるから、ベッドとして安定した状態で使用することが可能となる。
【０００６】
しかしながら、背部体を起立させてソファーとして利用するとき、上記補助脚を背部体の背面側に倒伏させても、その補助脚は背部体の外面に露出しているから、ソファーとしての外観が大きく損なわれるということがある。
【０００７】
この発明は、ベッドとして使用するときには倒伏させた背部体を補助脚体で支持することで安定した状態で使用することができ、ソファーとして利用するときには上記補助脚体が外部に露出することがないよう格納できるようにしたソファー装置を提供することにある。
【課題を解決するための手段】
【０００８】
この発明は、座フレームを有して下面に支持脚体が設けられこの支持脚体によって所定の高さでほぼ水平に支持される座部体と、
幅方向に横パイプが架設されていて、上記座部体の一端にヒンジ機構によって回動可能かつ所定の角度で保持可能に設けられた背フレームを有する背部体と、
上記座部体と上記背部体を被覆した外装体と、
この外装体の上記背部体の背面を被覆した部分に開閉可能に形成された収納部と、
上記背フレームの上記収納部内に位置する部分に回動可能に設けられ上記背部体を起立させたときには倒伏状態で上記収納部に収容され上記背部体をほぼ水平に倒伏させたときに起立させられて上記収納部から上記背部体の背面側に突出してこの背部体をほぼ水平な状態で支持する補助脚体と
を具備したことを特徴とするソファー装置にある。
【００１１】
この発明は、第１のソファー装置と第２のソファー装置を有し、この第１のソファー装置と第２のソファー装置は、
座フレームを有して下面に支持脚体が設けられこの支持脚体によって所定の高さでほぼ水平に支持される座部体と、
幅方向に横パイプが架設されていて、上記座部体の一端にヒンジ機構によって回動可能かつ所定の角度で保持可能に設けられた背フレームを有する背部体と、
上記座部体と上記背部体を被覆した外装体と、
この外装体の上記背部体の背面を被覆した部分に開閉可能に形成された収納部と、
上記背フレームの上記収納部内に位置する部分に回動可能に設けられ上記背部体を起立させたときには倒伏状態で上記収納部に収容され上記背部体をほぼ水平に倒伏させたときに起立させられて上記収納部から上記背部体の背面側に突出してこの背部体をほぼ水平な状態で支持する補助脚体を具備し、
上記第１のソファー装置と第２のソファー装置の一方は背部体を起立させ、他方はソファー装置の背部体をほぼ水平に倒伏させるとともに、この背部体の端部を一方のソファー装置の座部体の端部に接触させてベッドとして使用可能であることを特徴とするソファー装置にある。
【発明の効果】
【００１３】
この発明によれば、背部体にその背面に開口して開閉される収納部を形成し、この収納部に背部体を倒伏させたときに支持する補助脚体を出し入れ可能に設けるようにした。そのため、上記背部体を起立させて利用するとき、上記補助脚体を背部体の内部に収納できるから、ソファー装置の外観低下を招くのが防止される。
【図面の簡単な説明】
【００１４】
【図１】（ａ）はこの発明の一実施の形態を示すソファー装置の側面図、（ｂ）は廃面図、（ｃ）は背部体を倒伏させた状態の側面図。
【図２】座フレームと背フレームを示す平面図。
【図３】座フレームと背フレームを示す側面図。
【図４】脚部材が倒伏した状態にある補助脚体の斜視図。
【図５】脚部材が起立した状態にある補助脚体の斜視図。
【図６】２つのソファー装置をベッドとして利用するときの側面図。
【図７】２つのソファー装置をベッドとして利用するときの平面図。
【図８】２つのソファー装置をベッドとして利用するときの底面図。
【図９】２つのソファー装置をベッドとして利用するときにベッド面にカバーを装着した状態の斜視図。
【図１０】上記カバーの平面図。
【図１１】１つのソファー装置をスツールを用いてベッドとして利用するときの平面図。
【図１２】同じく側面図。
【発明を実施するための最良の形態】
【００１５】
以下、この発明の一実施の形態を図面を参照しながら説明する。
【００１６】
図１（ａ）〜（ｃ）に示すソファー装置１は座部体２と背部体３によって構成されている。図２に示すように上記座部体２は座フレーム４を有し、上記背部体３は背フレーム５を有する。座フレーム４には背フレーム５が一対の第１のヒンジ機構６によって回動可能かつ所定の回動角度で保持可能に連結されている。
【００１７】
上記背フレーム５は直線状の基端部５ａとＵ字状の先端部５ｂとに分割されていて、この先端部５ｂは上記基端部５ａに一対の第２のヒンジ機構８によって回動可能かつ所定の回動角度で保持可能に連結されている。
【００１８】
上記座フレーム４はパイプ材をＵ字状に曲成して形成されていて、その開放端部には横パイプ１１が幅方向に沿って架設されている。座フレーム４の上記横パイプ１１によって閉塞された枠状部分には布或いはゴムによって帯状に形成された多数のバンド１２が縦横に張設されている。
【００１９】
上記背フレーム５には上記基端部５ａの両端部及び上記先端部５ｂの開放端部にそれぞれ横パイプ１３が幅方向に沿って架設されていて、上記基端部５ａと先端部５ｂとの枠状部分にはそれぞれ多数のバンド１２が縦横に張設されている。
【００２０】
各フレーム４，５のバンド１２の上面側には図３に鎖線で示すようにシート状の上側弾性材１４が設けられ、下面側には同じくシート状の下側弾性材１５が設けられている。これら弾性材１４，１５と上記各フレーム４，５は布地を袋状に縫製した外装体１６によって被覆されている。なお、上側弾性材１４と下側弾性材１５は座フレーム４、背フレーム５の基端部５ａ及び先端部５ｂの３つの部分に分割されている。
【００２１】
上記上側弾性材１４は硬質、軟質などの複数種の弾性シートを積層して構成されていて、最も上側の弾性シートは表面に多数の凹凸が形成された、いわゆる無圧弾性シートが用いられている。上記下側弾性材１５としては比較的柔軟な弾性シートを用いることが好ましい。
【００２２】
図１（ａ）〜（ｃ）に示すように、上記座部体２の下面には、この座部体２を所定の高さで支持する支持脚体１８が設けられている。この支持脚体１８は、図２と図３に示すように上記座フレーム４の内部の幅方向両端部に幅方向と交差する前後方向に沿って設けられた帯状の一対の取付け部材１９に取付け固定される帯状の一対の脚体支持片１８ａを有する。
【００２３】
上記取り付け部材１９は、一端が上記座フレーム４の先端部に固着され他端が上記横パイプ１１に固着されていて、上記支持脚体１８の一対の脚体支持片１８ａは上記座部体２の下面で、上記取り付け部材１９に図示しない連結部材を介して取付け固定される。上記支持脚体１８の脚体支持片１８ａの両端部にはそれぞれ支持脚２１が垂設されている。
【００２４】
図１（ｂ）と図８に示すように、上記背部体３の背面から座部体２の下面の一部には上記外装体１６の上記背面を覆う部分を開閉可能とするファスナ２２が設けられている。つまり、図５や図８に示すように上記背部体３には、上記ファスナ２２によって背面に開口可能な収納部２４が形成されている。
【００２５】
上記収納部２４には補助脚体２５が設けられている。この補助脚体２５は、図４と図５に示すように上記背フレーム５の基端部５ａに架設された一対の横パイプ１３のうちの、先端部５ｂ側に位置する横パイプ１３の長手方向中央部に取付け板２３を介して設けられた取付け具２６を有する。この取付け具２６はＵ字状に曲成された板材からなり、この取付け具２６には脚部材２７の一端が保持機構２８によって回動可能かつ上記背部体３の背面に対して倒伏した状態と、起立した状態とで保持可能に設けられている。
【００２６】
上記保持機構２８は棒鋼をコ字状に曲成した軸状部材３１を有する。この軸状部材３１の一端部は上記取付け具２６の一対の支持片２６ａの幅方向の一端部で、上下方向の下端部に回動可能かつスライド可能に支持された支軸部３１ａに形成されている。この支軸部３１ａの先端部は一方の支持片２６ａの外面側に突出し、その先端には鍔３２が設けられている。
【００２７】
上記鍔３２と一方の支持片２６ａとの間にはばね３３が圧縮されて設けられている。このばね３３は、復元力によって上記軸状部材３１の支軸部３１ａの先端部が一方の支持片２６ａの外面側に突出する方向に付勢している。上記支軸部３１ａの上記一対の支持片２６ａ間に位置する部分には、上記脚部材２７の基端部の幅方向の一端部が回動可能に支持されている。
【００２８】
上記軸状部材３１の他端部は上記支軸部３１ａよりも短い係合軸部３１ｂに形成されている。この係合軸部３１ｂは上記取付け具２６の他方の支持片２６ａの幅方向の一端部で、上下方向の上端部に形成された回り止め孔３４に挿通されて他方の支持片２６ａの内面側に突出していて、その先端部は凸曲面状に加工されている。
【００２９】
上記脚部材２７の基端部の上記他方の支持片２６ａに対向する側面には凹部からなる第１の係合部３６と第２の係合部３７が形成されている。第１の係合部３６は、上記脚部材２７の基端部の幅方向の他端に形成され、第２の係合部３７は第１の係合部３６よりも脚部材２７の先端側の幅方向の一端に形成されている。
【００３０】
図４に示すように上記脚部材２７が背部体３に対して倒伏した状態にあるとき、上記脚部材１７の基端部に形成された第１の係合部３６に上記軸状部材３１の係合軸部３１ｂの先端がばね３３の付勢力によって弾性的に係合する。それによって、上記脚部材１７は倒伏状態で保持される。倒伏状態にある脚部材１７は上記背部体３の収納部２４に格納される。
【００３１】
背部体３に形成された収納部２４をファスナ２２をスライドさせて開放させた後、倒伏状態にある脚部材１７を起立方向に強制的或いは軸状部材３１の中途部をばね３３の付勢力に抗して引いて回動させれば、上記係合軸部３１ｂが上記第１の係合部３６から外れて図５に示すように上記収納部２４から突出する。
【００３２】
そして、上記脚部材１７を所定の角度まで起立させると、上記係合軸部３１ｂが上記第２の係合部３７に弾性的に係合するから、上記脚部材１７が起立状態で保持されることになる。
【００３３】
同様に、起立状態にある脚部材１７を倒伏方向に強制的に回動させれば、上記係合軸部３１ｂが上記第２の係合部３７から外れる。そして、脚部材１７を倒伏させれば、収納部２４内に格納されるとともに、上記係合軸部３１ｂが上記第１の係合部３６に係合して保持されるから、その状態で収納部２４の開口をファスナ２２によって閉じることで、上記脚部材１７が外部に露出しない状態となる。
【００３４】
上記構成のソファー装置１によれば、背部体３を倒伏させてベッドとして利用する場合、背部体３の背面のファスナ２２によって収納部２４を開口させたならば、この収納部２４に倒伏状態で格納された補助脚体２５の脚部材２７を図４に示す倒伏状態から図５に示すように起立させる。ついで、背部体３を図１（ａ）に示す起立した状態から、図１（ｃ）に示すようにほぼ水平となるまで倒伏させる。
【００３５】
それによって、背部体３は、この背部体３の背面で起立した脚部材２７によって水平な状態で支持されることになるから、ベッドとして安定した状態で使用することが可能となる。
【００３６】
上記背部体３を起立させて使用する場合、倒伏した背部体３を起立させたならば、収納部２４を開放し、起立状態で保持された脚部材２７を倒伏させて上記収納部２４内に格納した後、この収納部２４の開口をファスナ２２によって閉じる。  
それによって、背部体３の背面には脚部材２７が露出していないばかりか、収納部２４も閉じられているから、ソファー装置１としての外観が損なわれるということがない。
【００３７】
上記構成のソファー装置１は、たとえば２つ１組で使用されることが多く、またソファー装置１では背部体３を倒伏させただけではベッドとして十分な長さ寸法を確保できないことがある。
【００３８】
そのような場合には、図６乃至図８に示すように一方のソファー装置１の背部体３を倒伏させ、他方のソファー装置１の背部体３を起立させた状態で、背部体３を倒伏させたソファー装置１の座部体２の先端を、他方のソファー装置１の座部体２の先端に衝合させ、一対のソファー装置１の座部体２の下面に設けられた支持脚体１８のそれぞれの脚体支持片１８ａを連結具３９によって連結する。
【００３９】
それによって、１つのソファー装置１をベッドとして利用する場合に比べて長さの長いベッド面を得ることができるから、長身者であってもベッドとして快適に利用することができるばかりか、一対のソファー装置１の座部体２が連結されているため、ベッドとして使用している最中に２つのソファー装置１が離れたり、がた付いたりするということもない。
【００４０】
このようにして、２つのソファー装置１をベッドとして利用する場合、これらのソファー装置１がなすベッド面は図９に示すようにカバー４１によって被覆される。このカバー４１は図１０に示すように２つの座部体２と１つの背部体３がなす長さ寸法に対応する長さを有し、長手方向一端を除く三方には上記座部体２と背部体３との側辺部に係合する袋部４２が形成されている。
【００４１】
上記カバー４１の長手方向一端には係合部材としての伸縮可能な紐状部材４３が設けられている。この紐状部材４３の一端と他端にはそれぞれ係脱可能の面状ファスナ４４が設けられている。
【００４２】
それによって、上記カバー４１は一対のソファー装置１がなすベッド面を覆うとともに、その長手方向一端に設けられた紐状部材４３を起立状態にある背部体３の基端部に巻き付け、両端の面状ファスナ４４を係合させて使用される。
【００４３】
上記構成のカバー４１によれば、一対のソファー装置１のうち、一方のソファー装置１の背部体３が起立した状態であっても、これらソファー装置１がなすベッド面に対して上記カバー４１を容易に着脱することができるため、使用し易く、便利である。
【００４４】
図１１と図１２は１つのソファー装置１と、ソファー装置１の座部体２に相当する大きさのスツール４５によってベッドとして利用した状態を示す。つまり、ソファー装置は背部体３を水平に倒伏させ、スツール４５は上記ソファー装置１の座部体２に、上述した連結具３９によって連結してベッド面とすればよい。  
なお、スツール４５はソファー装置１の座部体２と同様の構成の支持脚体１８Ａによって所定の高さ座部体２と同じ高さに支持されている。
【符号の説明】
【００４５】
２…座部体、３…背部体、４…座フレーム、５…背フレーム、６…第１のヒンジ機構、１６…外装体、２１…支持脚、２４…収納部、２７…脚部材、３１…軸状部材、３１ａ…第１の軸部、３２ｂ…第２の軸部、３４…回り止め孔、３６…第１の係合部、３７…第２の係合部、４１…カバー、４２…袋部、４３…紐状部材。
【図１】
0005503947.tif 000002
【図２】
0005503947.tif 000003
【図３】
0005503947.tif 000004
【図４】
0005503947.tif 000005
【図５】
0005503947.tif 000006
【図６】
0005503947.tif 000007
【図７】
0005503947.tif 000008
【図８】
0005503947.tif 000009
【図９】
0005503947.tif 000010
【図１０】
0005503947.tif 000011
【図１１】
0005503947.tif 000012
【図１２】
0005503947.tif 000013